(57)【要約】【課題】  軽量化が可能であり、且つ、コストを低減できる車両用表示装置を提供する。【解決手段】  駆動部１３は、指針１２を回動させる。表示パネル３０は、画像を表示する。保護パネル部材４０，７０，８０，９０は、指針１２及び画像を透視する。保護パネル部材４０，７０，８０，９０は、指針１２を透視する有機ガラス部４３，７６，８６，９６と、画像を透視する無機ガラス部４１，７１，８１，９１と、を有する。保護パネル部材７０，８０，９０は、無機ガラス部７１，８１，９１の周囲を有機ガラス部７６，８６，９６で一体成型してなる。【選択図】  図２
2015045545.tif 000002
【特許請求の範囲】
【請求項１】
指針と、前記指針を回動させる駆動部と、画像を表示する表示パネルと、前記指針及び前記画像を透視する保護パネル部材と、を備えた車両用表示装置であって、
前記保護パネル部材は、前記指針を透視する有機ガラス部と、前記画像を透視する無機ガラス部と、を有することを特徴とする車両用表示装置。
【請求項２】
前記保護パネル部材は、前記無機ガラス部の周囲を前記有機ガラス部で一体成型してなることを特徴とする請求項１に記載の車両用表示装置。
【請求項３】
前記保護パネル部材は、加飾層を有することを特徴とする請求項１に記載の車両用表示装置。
【請求項４】
前記保護パネル部材の前記加飾層は、前記有機ガラス部に貼着されたフィルムであることを特徴とする請求項３に記載の車両用表示装置。
【発明の詳細な説明】
【技術分野】
【０００１】
本発明は、画像を表示する表示パネルを備えた車両用表示装置に関するものである。
【背景技術】
【０００２】
従来の車両用表示装置は、例えば、特許文献１に開示されるものがある。この車両用表示装置は単一ケース内に指針式計器と液晶表示パネルを収納するものである。このような車両用表示装置は無機ガラスと液晶表示パネルとの間に空気層があり、特に車載環境においては太陽光が照射され光りの反射により視認性が低下するという問題を有していた。この問題を解決するものとして無機ガラスと液晶表示パネルとの間を光透過型の接着材で埋めるオプティカルボンディング技術が特許文献２に開示されている。
【先行技術文献】
【特許文献】
【０００３】
【特許文献１】特開２００３−７６２９４号公報
【特許文献２】特許第４９４０２１５号公報
【発明の概要】
【発明が解決しようとする課題】
【０００４】
しかしながら、指針式計器及び液晶表示パネルを備えた車両用表示装置にオプティカルボンディング技術を適用すると、無機ガラスの面積が大きくなって重量が増加する虞があるため、軽量化技術が求められている。また、無機ガラスが大型化するとコストアップしてしまうという問題を有していた。
本発明は、この問題に鑑みなされたものであり、軽量化が可能であり、且つ、コストを低減できる車両用表示装置を提供するものである。
【課題を解決するための手段】
【０００５】
本発明は、指針１２と、前記指針１２を回動させる駆動部１３と、画像を表示する表示パネル３０と、前記指針１２及び前記画像を透視する保護パネル部材４０，７０，８０，９０と、を備えた車両用表示装置であって、前記保護パネル部材４０，７０，８０，９０は、前記指針１２を透視する有機ガラス部４３，７６，８６，９６と、前記画像を透視する無機ガラス部４１，７１，８１，９１と、を有するものである。
【０００６】
また、本発明は、前記保護パネル部材７０，８０，９０は、前記無機ガラス部７１，８１，９１の周囲を前記有機ガラス部７６，８６，９６で一体成型してなるものである。
【０００７】
また、本発明は、前記保護パネル部材８０，９０は、加飾層８２，９８を有するものである。
【０００８】
また、本発明は、前記保護パネル部材９０の前記加飾層９８は、前記有機ガラス部９６に貼着されたフィルムであるものである。
【発明の効果】
【０００９】
指針を透視する有機ガラス部と、表示パネルの画像を透視する無機ガラス部とを保護パネル部材に設けることにより、軽量化が可能であり、且つ、コストを低減できる。
【図面の簡単な説明】
【００１０】
【図１】本発明の第一実施形態を示す正面図。
【図２】同上実施形態を示す断面図。
【図３】同上実施形態を示すブロック図。
【図４】本発明の第二実施形態を示す断面図。
【図５】本発明の第三実施形態を示す断面図。
【図６】本発明の第四実施形態を示す断面図。
【発明を実施するための形態】
【００１１】
以下、添付図面に基づいて、本発明の一実施形態を説明する。図１乃至図３は、第一実施形態を示すものである。車両用表示装置は、指針式計器１０，回路基板２０，液晶表示パネル３０，保護パネル部材４０を備えている。
【００１２】
指針式計器１０はエンジンの回転数を表示する回転計である。指針式計器１０は、文字板１１，指針１２，ステッピングモータ１３を有している。ステッピングモータ１３は、回路基板２０の後面に搭載されている。指針１２はステッピングモータ１３の回動軸に圧入保持されており、指針１２はステッピングモータ１３により回動され、指標部４２を指示する。文字板１１及び指針１２は、回路基板２０に搭載された発光素子３３にて照明される。文字板１１は、インナーケース２５に保持されている。
【００１３】
回路基板２０は、ガラスエポキシ樹脂からなる基材に銅箔からなる配線パターンを形成したものであり、ステッピングモータ１３及び発光素子３２，３３が搭載されている。回路基板２０，インナーケース２５は、下ケース４７に収納されている。インナーケース２５は、樹脂（ポリプロピレン等）からなるものであり、後面に回路基板２５を保持する。
【００１４】
液晶表示パネル３０は、透明電極膜が形成された一対のガラス基板に液晶を封入した液晶セルの前後両面に偏光部材を貼着したＴＦＴ型ＬＣＤパネルからなるものである。液晶表示パネル３０は、可撓性配線部材（図示しない）にて回路基板２０に電気的に接続されている。液晶表示パネル３０は、発光素子３２によって透過照明される。液晶表示パネル３０には、車両速度，残燃料量等の車両情報や、ナビ情報，音楽情報などのエンターテイメント情報等が表示される。
【００１５】
保護パネル部材４０は、平板形状の無機ガラスからなる透光性基板４１と、平板形状の樹脂ガラスからなる透光性基板４３とを有している。透光性基板４１は、正面視で矩形になっており、液晶表示パネル３０の画像を透視する。透光性基板４３は、正面視で円形になっており、文字板１１及び指針１２を透視する。透光性基板４１の後面には、矩形の窓部４４ｂを有する遮光部４４が印刷形成されている。透光性基板４３の後面には、遮光部４４及び指標部４２が印刷形成されている。
【００１６】
液晶表示パネル３０は、透明樹脂３５にてオプティカルボンディングされており、透光性基板４１に密着されている。保護パネル部材４０の前面には、円環状の装飾リング４８が設けられている。装飾リング４８は、指針式計器１０を装飾するものである。透光性基板４１，４３は、上ケース４６にインサート成型されている。上ケース４６は、樹脂（ＡＢＳ等）からなるものであり、下ケース４７に係止されている。
【００１７】
図３は、車両用表示装置の電気的構成を示すブロック図である。マイコン５０は、ＣＰＵ５１，ＲＯＭ５２，ＲＡＭ５３を有している。速度センサ６１は、車両速度を検出し、マイコン５０に速度データを出力する。回転センサ６２は、エンジンの回転数を検出し、マイコン５０に回転数データを出力する。マイコン５０は、ＲＯＭ５２に格納されている所定のプログラムに基づいて、ステッピングモータ１３，液晶表示パネル３０，発光素子３２，３３を駆動する。
【００１８】
図４は、第二実施形態を示すものである。第二実施形態は、第一実施形態に比して保護パネル部材７０が異なり、他の構成は第一実施形態と同様である。
【００１９】
保護パネル部材７０は、平板形状の無機ガラスからなる透光性基板７１と、樹脂ガラスからなる上ケース７６とを有している。透光性基板７１は、正面視で矩形になっており、液晶表示パネル３０の画像を透視する。透光性基板７１の後面には、矩形の窓部７４ｂを有する遮光部７４が印刷形成されている。透光性基板７１は、上ケース４６にインサート成型されている。上ケース７６には、指標部７２が印刷形成されている。
【００２０】
液晶表示パネル３０は、透明樹脂３５にてオプティカルボンディングされており、透光性基板７１に密着されている。保護パネル部材７０の前面には、円環状の装飾リング７８が設けられている。上ケース４６は、透明樹脂からなるものであり、下ケース４７に係止されている。
【００２１】
図５は、第三実施形態を示すものである。第三実施形態は、第一実施形態に比して保護パネル部材８０が異なり、他の構成は第一実施形態と同様である。
【００２２】
保護パネル部材８０は、平板形状の無機ガラスからなる透光性基板８１と、樹脂ガラスからなる上ケース８６とを有している。透光性基板８１は、正面視で矩形になっており、液晶表示パネル３０の画像を透視する。透光性基板８１の後面には、矩形の窓部８４ｂを有する遮光部８４が印刷形成されている。透光性基板８１は、上ケース８６にインサート成型されている。上ケース８６の内側面には、指針１２に指示される指標部を有するフィルム８２が貼着されている。
【００２３】
液晶表示パネル３０は、透明樹脂３５にてオプティカルボンディングされており、透光性基板８１に密着されている。保護パネル部材８０の前面には、円環状の装飾リング８８が設けられている。上ケース８６は、透明樹脂からなるものであり、下ケース４７に係止されている。
【００２４】
図６は、第四実施形態を示すものである。第四実施形態は、第一実施形態に比して保護パネル部材９０が異なり、他の構成は第一実施形態と同様である。
【００２５】
保護パネル部材９０は、平板形状の無機ガラスからなる透光性基板９１と、樹脂ガラスからなる上ケース９６とを有している。透光性基板９１は、正面視で矩形になっており、液晶表示パネル３０の画像を透視する。透光性基板９１の後面には、窓部９４ｂを有する遮光部９４が印刷形成されている。透光性基板９１は、上ケース９６にインサート成型されている。上ケース９６の前面には、加飾部を有するフィルム９５が貼着されている。上ケース９６には、指針１２に指示される指標部９２が印刷形成されている。
【００２６】
液晶表示パネル３０は、透明樹脂３５にてオプティカルボンディングされており、透光性基板９１に密着されている。保護パネル部材９０の前面には、円環状の装飾リング９８が設けられている。上ケース９６は、透明樹脂からなるものであり、下ケース４７に係止されている。
【００２７】
各実施形態によれば、有機ガラス部４３，７６，８６，９６と無機ガラス部４１，７１，８１，９１とを保護パネル部材４０，７０，８０，９０に設けることにより、軽量化が可能であり、且つ、コストを低減できる。
【符号の説明】
【００２８】
１２  指針
１３  ステッピングモータ（駆動部）
３０  液晶表示パネル（表示パネル）
３５  透明樹脂
４０  保護パネル部材
４１  透光性基板（無機ガラス部）
４３  透光性基板（有機ガラス部）
７０  保護パネル部材
７１  透光性基板（無機ガラス部）
７６  上ケース（有機ガラス部）
８０  保護パネル部材
８１  透光性基板（無機ガラス部）
８６  上ケース（有機ガラス部）
９０  保護パネル部材
９１  透光性基板（無機ガラス部）
９６  上ケース（有機ガラス部）
【図１】
2015045545.tif 000003
【図２】
2015045545.tif 000004
【図３】
2015045545.tif 000005
【図４】
2015045545.tif 000006
【図５】
2015045545.tif 000007
【図６】
2015045545.tif 000008